(57)【要約】【課題】  夜間作業や暗所等の作業場に於て、合図を送ったり誘導するために使用できると共に、作業灯（手元ライト）としても使用することができる信号灯を提供することを目的とする。【解決手段】  点滅状に点灯する赤色ＬＥＤ１を、一直線Ｌ上に所定間隔をもって複数個配設した。かつ、前方を照射する白色ＬＥＤ２を、一直線Ｌ上であって、複数個の赤色ＬＥＤ１の前方に設けた。そして、複数個の赤色ＬＥＤ１を包囲する半透明の赤色系円筒体６と、前端面３ａに集光レンズ部13を有すると共に赤色ＬＥＤ１と白色ＬＥＤ２と赤色系円筒体６を包囲する半透明乃至透明の筒状カバー３と、を備えている。【選択図】  図１
0003108195.tif 000002
【実用新案登録請求の範囲】
【請求項１】
点滅状に点灯する赤色ＬＥＤ（１）を有する信号灯に於て、
前方を照射する白色ＬＥＤ（２）を、前端寄りに設けたことを特徴とする信号灯。
【請求項２】
点滅状に点灯する赤色ＬＥＤ（１）を有する信号灯に於て、
該赤色ＬＥＤ（１）を、一直線（Ｌ）上に所定間隔をもって複数個配設し、かつ、前方を照射する白色ＬＥＤ（２）を、上記一直線（Ｌ）上であって前端寄りに設けたことを特徴とする信号灯。
【請求項３】
点滅状に点灯する赤色ＬＥＤ（１）を有する信号灯に於て、
該赤色ＬＥＤ（１）を、一直線（Ｌ）上に所定間隔をもって複数個配設し、かつ、前方を照射する白色ＬＥＤ（２）を、上記一直線（Ｌ）上であって前端寄りに設け、
上記赤色ＬＥＤ（１）の点滅状の点灯を制御する電子基板（７）を、前後中間位置に備え、
該電子基板（７）から、プラス第１電極線（11）・マイナス第１電極線（21）を、上記一直線（Ｌ）と平行に立設し、複数個の上記赤色ＬＥＤ（１）を、上記両電極線（11)(21）に夫々接続し、
かつ、上記電子基板（７）から、プラス第２電極線（12）・マイナス第２電極線（22）を、上記一直線（Ｌ）と平行に立設し、該両電極線（12)(22）の前端近傍に、上記白色ＬＥＤ（２）を接続したことを特徴とする信号灯。
【請求項４】
点滅状に点灯する赤色ＬＥＤ（１）を有する信号灯に於て、
該赤色ＬＥＤ（１）を、一直線（Ｌ）上に所定間隔をもって複数個配設し、かつ、前方を照射する白色ＬＥＤ（２）を、上記一直線（Ｌ）上であって前端寄りに設け、
上記赤色ＬＥＤ（１）の点滅状の点灯を制御する電子基板（７）を、前後中間位置に備え、
該電子基板（７）から、プラス第１電極線（11）・マイナス第１電極線（21）を、上記一直線（Ｌ）と平行に立設し、複数個の上記赤色ＬＥＤ（１）を、上記両電極線（11)(21）に夫々接続し、
上記電子基板（７）から、プラス第２電極線（12）・マイナス第２電極線（22）を、上記一直線（Ｌ）と平行に立設し、該両電極線（12)(22）の前端近傍に、上記白色ＬＥＤ（２）を接続し、
かつ、上記マイナス第１電極線（21）と上記マイナス第２電極線（22）とを共用して、１本線（Ｃ）としたことを特徴とする信号灯。
【請求項５】
点滅状に点灯する赤色ＬＥＤ（１）を有する信号灯に於て、
該赤色ＬＥＤ（１）を、一直線（Ｌ）上に所定間隔をもって複数個配設し、かつ、前方を照射する白色ＬＥＤ（２）を、上記一直線（Ｌ）上であって前端寄りに設け、
上記複数個の赤色ＬＥＤ（１）を包囲する半透明の赤色系円筒体（６）と、前端面（３ａ）に集光レンズ部（13）を有すると共に上記赤色ＬＥＤ（１）と白色ＬＥＤ（２）と上記赤色系円筒体（６）を包囲する半透明乃至透明の筒状カバー（３）と、を備えたことを特徴とする信号灯。
【請求項６】
点滅状に点灯する赤色ＬＥＤ（１）を有する信号灯に於て、
該赤色ＬＥＤ（１）を、一直線（Ｌ）上に所定間隔をもって複数個配設し、かつ、前方を照射する白色ＬＥＤ（２）を、上記一直線（Ｌ）上であって前端寄りに設け、
さらに、上記一直線（Ｌ）と直交状に配設されると共に中心に上記白色ＬＥＤ（２）を固定保持するセンタリング用ガイド円板（18）と、上記複数個の赤色ＬＥＤ（１）を包囲すると共に該ガイド円板（18）に外嵌して上記白色ＬＥＤ（２）を上記一直線（Ｌ）上に位置決めをする半透明の赤色系円筒体（６）と、前端面（３ａ）に集光レンズ部（13）を有すると共に上記赤色ＬＥＤ（１）と白色ＬＥＤ（２）と上記赤色系円筒体（６）を包囲する半透明乃至透明の筒状カバー（３）と、を備えたことを特徴とする信号灯。
【考案の詳細な説明】
【技術分野】
【０００１】
本考案は、道路や建設現場等において使用される携帯用の信号灯に関するものである。
【背景技術】
【０００２】
従来の携帯用の信号灯として、半透明の筒状カバー内に、複数個の赤色発光ダイオード（ＬＥＤ）が内蔵されていて、そのＬＥＤを発光させて、車や歩行者に合図を与えたり、誘導するものがある。
【考案の開示】
【考案が解決しようとする課題】
【０００３】
この従来の信号灯は、夜間作業や暗所での作業に於て、誘導したり、合図を与えることはできるが、手元を照射する作業灯として使用するには、不向きである。
そこで、本考案は、夜間作業や暗所等の作業場に於て、合図を送ったり誘導するために使用できると共に、作業灯（手元ライト）としても使用することができる信号灯を提供することを目的とする。
【課題を解決するための手段】
【０００４】
上記の目的を達成するために、本考案に係る信号灯は、点滅状に点灯する赤色ＬＥＤを有するものであり、前方を照射する白色ＬＥＤを、前端寄りに設けている。
【０００５】
また、信号灯は、点滅状に点灯する赤色ＬＥＤを有するものであり、該赤色ＬＥＤを、一直線上に所定間隔をもって複数個配設し、かつ、前方を照射する白色ＬＥＤを、上記一直線上であって前端寄りに設けている。
【０００６】
また、信号灯は、点滅状に点灯する赤色ＬＥＤを有するものであり、該赤色ＬＥＤを、一直線上に所定間隔をもって複数個配設し、かつ、前方を照射する白色ＬＥＤを、上記一直線上であって前端寄りに設け、上記赤色ＬＥＤの点滅状の点灯を制御する電子基板を、前後中間位置に備え、該電子基板から、プラス第１電極線・マイナス第１電極線を、上記一直線と平行に立設し、複数個の上記赤色ＬＥＤを、上記両電極線に夫々接続し、かつ、上記電子基板から、プラス第２電極線・マイナス第２電極線を、上記一直線と平行に立設し、該両電極線の前端近傍に、上記白色ＬＥＤを接続している。
【０００７】
また、信号灯は、点滅状に点灯する赤色ＬＥＤを有するものであり、該赤色ＬＥＤを、一直線上に所定間隔をもって複数個配設し、かつ、前方を照射する白色ＬＥＤを、上記一直線上であって前端寄りに設け、上記赤色ＬＥＤの点滅状の点灯を制御する電子基板を、前後中間位置に備え、該電子基板から、プラス第１電極線・マイナス第１電極線を、上記一直線と平行に立設し、複数個の上記赤色ＬＥＤを、上記両電極線に夫々接続し、上記電子基板から、プラス第２電極線・マイナス第２電極線を、上記一直線と平行に立設し、該両電極線の前端近傍に、上記白色ＬＥＤを接続し、かつ、上記マイナス第１電極線と上記マイナス第２電極線とを共用して、１本線としている。
【０００８】
また、信号灯は、点滅状に点灯する赤色ＬＥＤを有するものであり、該赤色ＬＥＤを、一直線上に所定間隔をもって複数個配設し、かつ、前方を照射する白色ＬＥＤを、上記一直線上であって前端寄りに設け、上記複数個の赤色ＬＥＤを包囲する半透明の赤色系円筒体と、前端面に集光レンズ部を有すると共に上記赤色ＬＥＤと白色ＬＥＤと上記赤色系円筒体を包囲する半透明乃至透明の筒状カバーと、を備えている。
【０００９】
また、点滅状に点灯する赤色ＬＥＤを有するものであり、該赤色ＬＥＤを、一直線上に所定間隔をもって複数個配設し、かつ、前方を照射する白色ＬＥＤを、上記一直線上であって前端寄りに設け、さらに、上記一直線と直交状に配設されると共に中心に上記白色ＬＥＤを固定保持するセンタリング用ガイド円板と、上記複数個の赤色ＬＥＤを包囲すると共に該ガイド円板に外嵌して上記白色ＬＥＤを上記一直線上に位置決めをする半透明の赤色系円筒体と、前端面に集光レンズ部を有すると共に上記赤色ＬＥＤと白色ＬＥＤと上記赤色系円筒体を包囲する半透明乃至透明の筒状カバーと、を備えている。
【考案の効果】
【００１０】
本考案は、次のような著大な効果を奏する。
信号灯が、点滅状に点灯する赤色ＬＥＤを、一直線上に所定間隔をもって複数個配設し、かつ、前方を照射する白色ＬＥＤを、一直線上であって前端寄りに設けているので、赤色ＬＥＤを点滅状に点灯させれば、側方に、効率よく強い光を照射できて、道路や建設現場等において、誘導したり合図を送ることができ、一方、白色ＬＥＤを点灯させれば、夜間作業や暗所で、前方を照射させることができる。
このように、１台の信号灯を使って、夜間作業等に於て、誘導・合図等を行う誘導灯として、又は、手元を照射する作業灯（手元ライト）として、二通りの使い方をすることができて、非常に便利である。
【００１１】
また、赤色ＬＥＤと白色ＬＥＤに包囲状に取り付けられる筒状カバーが、前端面に集光レンズ部を有しているので、白色ＬＥＤが発光する光を、筒状カバーの集光レンズ部に集光して、効率よく、充分な照度で手元を照射することができる。
【考案を実施するための最良の形態】
【００１２】
以下、実施の形態を示す図面に基づき、本考案を詳説する。
図１，図２に於て、本考案に係る信号灯10は、点滅状に点灯する赤色ＬＥＤ（発光ダイオード）１…を、一直線Ｌ上に所定間隔をもって複数個（図例では３個）配設し、かつ、前方を照射する白色ＬＥＤ（発光ダイオード）２を、その一直線Ｌ上であって、赤色ＬＥＤ１の前方に設けたものである。
赤色ＬＥＤ１…，白色ＬＥＤ２は、両ＬＥＤ１，２に電気供給する電池８を内蔵する筒状把持体９の前方に、（後述する）電極線にて支持されて、配設される。
【００１３】
筒状把持体９は、後部において取外自在に螺合され電池８を出し入れ可能とすると共に磁石体Ｍを有するキャップ19を、具備する。把持体９は、キャップ19の後端面25にて、磁石体Ｍによる磁力で、（後述する）磁性体から成る被取付体15に装着される。
また、把持体９は、その外側面24に、プッシュ式スイッチ部５を、有し、プッシュする毎に、点灯が、赤色ＬＥＤ１…、白色ＬＥＤ２に切り換わる。
かつ、把持体９は、前部（開口部内）に、赤色ＬＥＤ１…の点滅状の点灯、及び、両ＬＥＤ１…，２の点灯切換を制御する電子基板７が、付設される。
【００１４】
この電子基板７から、プラス第１電極線11・マイナス第１電極線21が、上記一直線Ｌと平行に、立設される。
そして、３個の赤色ＬＥＤ１…が、夫々の両端子16，16が両電極線11，21に（ハンダ付け等によって）接続され、一直線Ｌ上に所定間隔をもって配設される。
また、電子基板７から、プラス第２電極線12・マイナス第２電極線22が、上記一直線Ｌと平行かつ第１電極線11，21と異なる位置に、立設される。
そして、白色ＬＥＤ２の両端子16，16が、両電極線12，22の前端近傍に（ハンダ付け等によって）接続される。
かつ、プラス第１電極線11・マイナス第１電極線21、及び、プラス第２電極線12・マイナス第２電極線22の前端に、センタリング用ガイド円板18が、一直線Ｌと垂直状に付設され、白色ＬＥＤ２は、ガイド円板18の中心に形成された貫孔に嵌込まれて、保持される。
【００１５】
さらに、信号灯10は、赤色ＬＥＤ１を包囲する半透明の赤色系円筒体６と、把持体９の前端周縁部23に取付取外自在に螺合され、赤色ＬＥＤ１と白色ＬＥＤ２と赤色系円筒体６を包囲する半透明乃至透明の筒状カバー３と、を備える。
具体的には、筒状カバー３は、前端面３ａに、白色ＬＥＤ２の発光を集光して前方へ透過して照射する集光レンズ部13を有すると共に、後端周縁部３ｂに、把持体９の前端周縁部23の内面に形成された雌ねじ部に螺合される雄ねじ部が、形成される。
この筒状カバーの雄ねじ部は、把持体９の前端周縁部23に内方から密着するシール材17が、嵌め込まれる。
また、筒状カバー３は、その内周面14の前部に、赤色系円筒体６の前端縁部６ａが当接する周状突当段部14ａが、形成される。
赤色系円筒体６は、外部から受ける光を反射すると共に内包する赤色ＬＥＤ１が発光する光を一層赤系にして透過するフィルムを有する。かつ、赤色系円筒体６は、その内周面の内径がガイド円板18の外径より僅かに大きく設定され、ガイド円板18が、円筒体６の内部に、一直線Ｌ方向にガイドされて嵌込まれる。
【００１６】
次に、図３に示す信号灯について説明すると、マイナス第１電極線21とマイナス第２電極線22とを共用して、１本線Ｃとした点で、図１，図２に示す信号灯10と相違する。
具体的には、電子基板７から、複数の赤色ＬＥＤ１…の夫々の正極端子16が接続される１本のプラス第１電極線11と、白色ＬＥＤ２の正極端子16が接続される１本のプラス第２電極線12と、全ての赤色ＬＥＤ１…及び白色ＬＥＤ２の夫々の負極端子16が接続されるマイナス電極線である１本線Ｃとが、上記一直線Ｌと平行に、立設される。
プラス第１電極線11とプラス第２電極線12は、平面視に於て、ガイド円板18の周端縁近傍であってガイド円板18の中心点Ｏ（白色ＬＥＤ２の配設位置）から夫々が鋭角を成して位置するように、配設される。かつ、１本線Ｃは、平面視に於て、上記ガイド円板18の中心点Ｏに対し、第１・第２電極線11，12の中間点と対称の位置に、配設される。
【００１７】
次に、信号灯10の使用方法について説明する。
先ず、図１，図２に於て、赤色系円筒体６を、筒状カバー３の内部空間４に、矢印26のように後方から挿入し、前端縁部６ａを、筒状カバー３の周状突当段部14ａに当接させる。
次いで、ガイド円板18，赤色ＬＥＤ１，白色ＬＥＤ２等を、矢印27のように、筒状カバー３及び赤色系円筒体６の内部に、挿入し、筒状カバー３の後端周縁部３ｂの雄ねじ部を、把持体９の前端周縁部23の雌ねじ部に、螺合する。このとき、ガイド円板18が、赤色系円筒体６の内周面にガイドされるので、白色ＬＥＤ２は、筒状カバー３の中心位置（一直線Ｌ上）に、確実にセンタリング（位置決め）される。
なお、図３に示す信号灯に於ても、同様の手順で、赤色系円筒体６と筒状カバー３とが取り付けられ、白色ＬＥＤ２は、確実にセンタリングされる。
【００１８】
そして、把持体９のスイッチ部５を押すと、３個の赤色ＬＥＤ１…が点滅状に点灯し、矢印31のように、点滅状の光が、側方へ照射する。把持体９を手で把持すれば、道路や建設現場等において誘導したり合図を送ったりすることができる。また、図４のように、把持体９の後端面25を、磁性体から成る車のボディー等に、磁力にて装着することもできる。
さらに、スイッチ部５を押すと、赤色ＬＥＤ１から、白色ＬＥＤ２へと、点灯が切り換わる。白色ＬＥＤ２が発光する光は、筒状カバー３の集光レンズ部13により集光されて、矢印32のように、効率よく前方を照射し、信号灯10は、図５のように、作業灯として使用される。
【００１９】
以上のように、本考案に係る信号灯は、点滅状に点灯する赤色ＬＥＤ１を有し、前方を照射する白色ＬＥＤ２を、前端寄りに設けたものなので、赤色ＬＥＤ１を点滅状に点灯させれば、道路や建設現場等において、誘導したり合図を送ることができ、一方、白色ＬＥＤ２を点灯させれば、夜間作業や暗所で、前方を照射させることができる。
このように、１台の信号灯を使って、夜間作業等に於て、誘導・合図等を行う誘導灯として、又は、手元を照射する作業灯（手元ライト）として、二通りの使い方をすることができて、非常に便利である。
【００２０】
また、信号灯は、点滅状に点灯する赤色ＬＥＤ１を有し、赤色ＬＥＤ１を、一直線Ｌ上に所定間隔をもって複数個配設し、かつ、前方を照射する白色ＬＥＤ２を、一直線Ｌ上であって前端寄りに設けているので、赤色ＬＥＤ１…を点滅状に点灯させれば、側方に、効率よく強い光を照射できて、道路や建設現場等において、誘導したり合図を送ることができ、一方、白色ＬＥＤ２を点灯させれば、夜間作業や暗所で、前方を照射させることができる。
このように、１台の信号灯を使って、夜間作業等に於て、誘導・合図等を行う誘導灯として、又は、手元を照射する作業灯（手元ライト）として、二通りの使い方をすることができて、非常に便利である。
【００２１】
また、信号灯は、点滅状に点灯する赤色ＬＥＤ１を有し、赤色ＬＥＤ１を、一直線Ｌ上に所定間隔をもって複数個配設し、かつ、前方を照射する白色ＬＥＤ２を、一直線Ｌ上であって前端寄りに設け、赤色ＬＥＤ１の点滅状の点灯を制御する電子基板７を、前後中間位置に備え、電子基板７から、プラス第１電極線11・マイナス第１電極線21を、一直線Ｌと平行に立設し、複数個の赤色ＬＥＤ１を、両電極線11，21に夫々接続し、かつ、電子基板７から、プラス第２電極線12・マイナス第２電極線22を、一直線Ｌと平行に立設し、両電極線12，22の前端近傍に、白色ＬＥＤ２を接続しているので、両ＬＥＤ１，２の配列を、一直線Ｌ上に、確実に保持することができる。しかも、各電極線が支持も兼ねているので、信号灯をコンパクトな（細長くスリムな）形状にすることができる。
【００２２】
また、信号灯は、点滅状に点灯する赤色ＬＥＤ１を有し、赤色ＬＥＤ１を、一直線Ｌ上に所定間隔をもって複数個配設し、かつ、前方を照射する白色ＬＥＤ２を、一直線Ｌ上であって前端寄りに設け、赤色ＬＥＤ１の点滅状の点灯を制御する電子基板７を、前後中間位置に備え、電子基板７から、プラス第１電極線11・マイナス第１電極線21を、一直線Ｌと平行に立設し、複数個の赤色ＬＥＤ１を、両電極線11，21に夫々接続し、電子基板７から、プラス第２電極線12・マイナス第２電極線22を、一直線Ｌと平行に立設し、両電極線12，22の前端近傍に、白色ＬＥＤ２を接続し、かつ、マイナス第１電極線21とマイナス第２電極線22とを共用して、１本線Ｃとしたので、両ＬＥＤ１，２の配列を、一直線Ｌ上に、確実に保持することができる。しかも、各電極線が支持も兼ねているので、信号灯をコンパクトな（細長くスリムな）形状にすることができる。さらに、マイナス第１電極線21とマイナス第２電極線22とを共用して、１本線Ｃとしたので、赤色ＬＥＤ１から側方に放たれた光の障害を、一層少なくすることができ、信号灯から、明るい光を放つことができる。しかも、部品点数を少なくすることができ、簡素な構造にすることができる。
【００２３】
また、信号灯は、点滅状に点灯する赤色ＬＥＤ１を有し、赤色ＬＥＤ１を、一直線Ｌ上に所定間隔をもって複数個配設し、かつ、前方を照射する白色ＬＥＤ２を、一直線Ｌ上であって前端寄りに設け、複数個の赤色ＬＥＤ１を包囲する半透明の赤色系円筒体６と、前端面３ａに集光レンズ部13を有すると共に赤色ＬＥＤ１と白色ＬＥＤ２と赤色系円筒体６を包囲する半透明乃至透明の筒状カバー３と、を備えているので、白色ＬＥＤ２が発光する光を、筒状カバー３の集光レンズ部13に集光して、効率よく、充分な照度で手元を照射することができる。
また、半透明の赤色系円筒体６によって、外部から入ってくる光を反射して周囲に照射できると共に、赤色ＬＥＤ１の発光する光を一層赤系にして照射できる。
【００２４】
また、信号灯は、点滅状に点灯する赤色ＬＥＤ１を有し、赤色ＬＥＤ１を、一直線Ｌ上に所定間隔をもって複数個配設し、かつ、前方を照射する白色ＬＥＤ２を、一直線Ｌ上であって前端寄りに設け、さらに、一直線Ｌと直交状に配設されると共に中心に白色ＬＥＤ２を固定保持するセンタリング用ガイド円板18と、複数個の赤色ＬＥＤ１を包囲すると共にガイド円板18に外嵌して白色ＬＥＤ２を一直線Ｌ上に位置決めをする半透明の赤色系円筒体６と、前端面３ａに集光レンズ部13を有すると共に赤色ＬＥＤ１と白色ＬＥＤ２と赤色系円筒体６を包囲する半透明乃至透明の筒状カバー３と、を備えているので、白色ＬＥＤ２を、確実に、筒状カバー３の中心位置にセンタリング（位置決め）することができる。
よって、白色ＬＥＤ２が発光する光を、確実に、筒状カバー３の集光レンズ部13の中心に集光させることができ、効率よく、充分な照度で手元を照射することができる。
また、半透明の赤色系円筒体６によって、外部から入ってくる光を反射して周囲に照射できると共に、赤色ＬＥＤ１の発光する光を一層赤系にして照射できる。
【図面の簡単な説明】
【００２５】
【図１】本考案に係る信号灯の実施の一形態を示す一部断面側面図である。
【図２】分解斜視図である。
【図３】本考案に係る信号灯の他の実施の形態を示す説明図であって、（ａ）は要部斜視説明図で、（ｂ）は要部平面説明図である。
【図４】使用状態の一例を示す斜視図である。
【図５】他の使用状態を示す斜視図である。
【符号の説明】
【００２６】
１  赤色ＬＥＤ
２  白色ＬＥＤ
３  筒状カバー
３ａ  前端面
６  赤色系円筒体
７  電子基板
10  信号灯
11  プラス第１電極線
12  プラス第２電極線
13  レンズ部
18  ガイド円板
21  マイナス第１電極線
22  マイナス第２電極線
Ｃ  １本線
Ｌ  一直線
【図１】
0003108195.tif 000003
【図２】
0003108195.tif 000004
【図３】
0003108195.tif 000005
【図４】
0003108195.tif 000006
【図５】
0003108195.tif 000007